(57)【要約】【課題】装着に違和感無く、咀嚼感を十分に得ることが可能な入れ歯を提供する。【解決手段】残存歯が数本の患者の入れ歯１であって、前記残存歯２０の付根近傍２１の口腔内の背面を覆うとともに、当該残存歯２０の無い馬蹄状の顎堤２２の表面及びアンダーカットを覆い、当該顎堤２２の表面に仮歯肉１０ａを形成させる固定義歯床部１０と、前記仮歯肉１０ａの表面に設けられた、失った歯に対応する人工歯１１と、前記残存歯２０の付根近傍の口腔内の正面を覆う可動義歯床部１２と、前記固定義歯床部１０に対して前記可動義歯床部１２を口腔内の正面側に回動可能とするヒンジ部１３と、前記固定義歯床部１０に対して前記可動義歯床部１２を口腔内の正面側で着脱可能とする着脱部１４とを備える。【選択図】図１
2015109965.tif 000002
【特許請求の範囲】
【請求項１】
残存歯が数本の患者の入れ歯であって、
前記残存歯の付根近傍の口腔内の背面を覆うとともに、前記残存歯の無い馬蹄状の顎堤の表面及びアンダーカットを覆い、当該顎堤の表面に仮歯肉を形成させる固定義歯床部と、
前記仮歯肉の表面に設けられた、失った歯に対応する人工歯と、
前記残存歯の付根近傍の口腔内の正面を覆う可動義歯床部と、
前記固定義歯床部に対して前記可動義歯床部を口腔内の正面側に回動可能とするヒンジ部と、
前記固定義歯床部に対して前記可動義歯床部を口腔内の正面側で着脱可能とする着脱部と
を備え、
前記固定義歯床部を前記残存歯の付根付近の口腔内の背面と額堤の表面とアンダーカットとに被覆させて、前記ヒンジ部を介して、前記可動義歯床部を前記残存歯の付根近傍の口腔内の正面に回動して被せて、前記着脱部を介して、前記被せた可動義歯床部を前記固定義歯床部に装着することで、前記固定義歯床部及び可動義歯床部が残存歯の付根近傍の口腔内の周面を取り囲んだ状態となり、当該固定義歯床部及び可動義歯床部が、馬蹄状の額堤及び残存歯に固定されることを特徴とする入れ歯。
【請求項２】
前記固定義歯床部は、前記馬蹄状の顎堤に対応する馬蹄状の仮歯肉を形成し、当該形成した仮歯肉のうち、前記残存歯及び残存歯の付根近傍に対応する部分を開口し、当該開口した部分の口腔内の正面側を開口して、前記可動義歯床部が、当該開口した部分の口腔内の正面側に被さるよう構成される
請求項１に記載の入れ歯。
【請求項３】
前記残存歯が２本以上存在する場合、一つの可動義歯床部が、口腔の歯が並ぶ左右方向のうち、最左側の残存歯の付根近傍の口腔内の正面から、最右側の残存歯の付根近傍の口腔内の正面までを覆うとともに、前記最左側の残存歯の付根近傍と、前記最右側の残存歯の付根近傍との間に存在する固定義歯床部の仮歯肉の口腔内の正面を覆うよう構成される
請求項１又は２に記載の入れ歯。
【請求項４】
前記可動義歯床部は、歯の歯頚部で形成される波形状に対応する波形状を有し、前記固定義歯床部に装着されると、当該可動義歯床部の波形状が、口腔の残存歯の歯頚部と、前記固定義歯床部の人工歯の歯頚部とで形成される波形状に一致する
請求項１−３のいずれか一項に記載の入れ歯。
【請求項５】
前記着脱部は、前記固定義歯床部に設けられる固定着脱部と、前記可動義歯床部に設けられる可動着脱部と、を備え、
前記固定着脱部は、前記可動着脱部が嵌め込まれる第一の装着孔と、口腔内の左右方向にスライド可能であり、前記第一の装着孔に対して出没可能な装着キーと、を備え、
前記可動着脱部は、前記固定着脱部の第一の装着孔に嵌め込められて、前記装着キーが突出した場合に、当該装着キーの突出部分が嵌め込まれる第二の装着孔を備える
請求項１−４のいずれか一項に記載の入れ歯。
【発明の詳細な説明】
【技術分野】
【０００１】
本発明は、入れ歯に関し、詳しくは、装着に違和感無く、咀嚼感を十分に得ることが可能な入れ歯に関する。
【背景技術】
【０００２】
従来より、入れ歯に関する技術は、多数存在する。例えば、特開２００４−２５４９１１号公報（特許文献１）には、義歯と義歯床とを有する部分入れ歯が開示されている。この部分入れ歯の義歯床は、義歯床部と、該義歯床部の正面側にヒンジ部を介して付設された可動義歯床部とを有している。又、前記義歯床部の背面側には、残存歯の背面側凹み部に係止される係止突片部を形成し、前記可動義歯床部の開閉自在な他端側には、残存歯の正面側凹み部に係止される可動係止突片部を形成している。そして、この可動係止突片部をマグネット吸着手段によって前記正面側凹み部に着脱自在に係止されるように構成している。これにより、部分入れ歯の脱着が容易で、装着時の固定性に優れ、且つ審美感を損わずに装着でき、更に残存歯を切削加工せずに装着できるとしている。
【０００３】
又、国際公開第２０１０／１３１３５０号（特許文献２）には、義歯と、義歯を支持する義歯床と、義歯床に金属線を介して回動可能に支持された義歯床可動部とを有する部分入れ歯が開示されている。この部分入れ歯では、義歯床に突出部を設け、義歯床可動部に凹部を設け、義歯床可動部を閉じる方向に回動したとき、凹部の部分が突出部に接触した後の、金属線が弾性変形しないと仮定した場合の部分の突出部に対する移動の軌跡が突出部内を通るよう構成している。これにより、義歯または義歯床に第１の係合部を設け、義歯床可動部に第２の係合部を設ければよいから、製作が容易であり、製造コストが安価であり、又、強度、耐久性に優れ、狭小部に対応することができるとしている。
【０００４】
又、特開２０１３−５６０８５号公報（特許文献３）には、義歯と、前記義歯を支持する義歯床と、前記義歯床に金属線を介して取り付けられたウイングとを有する部分入れ歯が開示されている。この部分入れ歯では、前記ウイングが閉じた状態において、前記義歯床の歯側が残存歯と歯肉との間に形成される窪み部に係合するとともに、前記ウイングの歯側も前記残存歯と前記歯肉との間に形成される窪み部に係合するよう構成している。これにより、義歯床に金属線を介してウイングを設ければよいから、構造が簡単で、製造コストが安価であり、又、強度、耐久性に優れ、狭小部に対応することができるとしている。
【先行技術文献】
【特許文献】
【０００５】
【特許文献１】特開２００４−２５４９１１号公報
【特許文献２】国際公開第２０１０／１３１３５０号
【特許文献３】特開２０１３−５６０８５号公報
【発明の概要】
【発明が解決しようとする課題】
【０００６】
しかしながら、前記特許文献１〜３に記載の技術では、欠損歯の歯肉に隣接する残存歯を用いて、部分入れ歯の義歯を当該欠損歯の歯肉に固定するため、口腔内での部分入れ歯の装着において、当該残存歯に欠損歯側への力が掛かるという問題がある。このように、前記部分入れ歯の固定に残存歯のみを使う場合、前記部分入れ歯を装着した患者の咀嚼中に当該部分入れ歯の義歯がグラつくと、そのグラつきが残存歯に伝達され、当該残存歯がグラつく。その結果、この残存歯のグラつきが、当該残存歯の抜歯を早めるおそれがあり、患者に対する負担が大きくなるという問題がある。まして、このような部分入れ歯は、動揺している残存歯に使用できないという問題がある。
【０００７】
又、義歯や残存歯がグラつくと、もちろん、患者は咀嚼感を十分に得られないという問題がある。そして、このようなグラつきは、患者にとって、部分入れ歯の装着に対する違和感となるため、長期間の部分入れ歯の装着に不向きであるという問題がある。
【０００８】
又、前記特許文献１〜３に記載の技術では、欠損歯が少ない患者、つまり、義歯を固定するための残存歯が多い患者に適用出来るものの、欠損歯が多い患者、つまり、残存歯が数本である患者に適用出来ないという問題がある。上述のように、残存歯が動揺している場合であっても同様である。
【０００９】
一方、欠損歯が多い患者には、入れ歯よりも、インプラント（人工歯根）を顎骨に埋入し人工歯を設置することが多い。このインプラントでは、歯牙欠損部の骨にフィクスチャー（ネジ）を埋入し、そのネジを土台にしてアバットメント（連結部）と上部構造（人工の歯）を装着することで、義歯を歯肉に固定するのである。
【００１０】
しかしながら、このインプラントでは、例えば、脳血管障害、心疾患、糖尿病、骨粗鬆症等の有病者の患者に適用すると、当該患者が死亡した例があり、患者の適用範囲が限定されるという問題がある。特に、欠損歯が多い患者は、高齢者で有病者の患者であることが多いため、高齢化社会における歯の治療法としてインプラントは不向きであるという問題がある。
【００１１】
他の義歯として、顎堤のアンダーカットの有無にかかわらず、残存歯を挟み込む支持部材で義歯を固定するスイングロック義歯が存在する。しかしながら、このスイングロック義歯では、製作費が高く、見た目が悪く、多数の欠損歯には不向きであるという問題がある。
【００１２】
又、他の義歯として、残存歯に金属冠を被せ、当該金属冠の上から義歯をはめ込んで、当該義歯を固定するコーヌス・テレスコープ義歯が存在する。しかしながら、このコーヌス・テレスコープ義歯では、金属冠を設けるために、健常な残存歯を多く削る必要があり、患者に負担がかかり、顎堤のアンダーカットを有効利用できないという問題がある。
【００１３】
そこで、本発明は、前記問題を解決するためになされたものであり、装着に違和感無く、咀嚼感を十分に得ることが可能な入れ歯を提供することを目的とする。
【課題を解決するための手段】
【００１４】
本発明者は、鋭意研究を重ねた結果、本発明に係る新規な入れ歯を完成させた。即ち、本発明は、残存歯が数本の患者の入れ歯であって、前記残存歯の付根近傍の背面を覆うとともに、前記残存歯の無い馬蹄状の顎堤の表面を覆い、当該顎堤の表面に仮歯肉を形成させる固定義歯床部と、前記仮歯肉の表面に設けられた、失った歯に対応する人工歯と、前記残存歯の付根近傍の正面を覆う可動義歯床部と、前記固定義歯床部に対して前記可動義歯床部を口腔の正面側に回動可能とするヒンジ部と、前記固定義歯床部に対して前記可動義歯床部を着脱可能とする着脱部とを備える。前記固定義歯床部を前記残存歯の付根付近の口腔内の背面と額堤の表面とアンダーカットとに被覆させて、前記ヒンジ部を介して、前記可動義歯床部を前記残存歯の付根近傍の口腔内の正面に回動して被せて、前記着脱部を介して、前記被せた可動義歯床部を前記固定義歯床部に装着することで、前記固定義歯床部及び可動義歯床部が残存歯の付根近傍の口腔内の周面を取り囲んだ状態となり、当該固定義歯床部及び可動義歯床部が、馬蹄状の額堤及び残存歯に固定されることを特徴とする。
【００１５】
前記固定義歯床部は、前記馬蹄状の顎堤に対応する馬蹄状の仮歯肉を形成し、当該形成した仮歯肉のうち、前記残存歯及び残存歯の付根近傍に対応する部分を開口し、当該開口した部分の口腔内の正面側を開口して、前記可動義歯床部が、当該開口した部分の口腔内の正面側に被さるよう構成される。
【００１６】
前記残存歯が２本以上存在する場合、一つの可動義歯床部が、口腔の歯が並ぶ左右方向のうち、最左側の残存歯の付根近傍の口腔内の正面から、最右側の残存歯の付根近傍の口腔内の正面までを覆うとともに、前記最左側の残存歯の付根近傍と、前記最右側の残存歯の付根近傍との間に存在する固定義歯床部の仮歯肉の口腔内の正面を覆うよう構成される。
【００１７】
前記可動義歯床部は、歯の歯頚部で形成される波形状に対応する波形状を有し、前記固定義歯床部に装着されると、当該可動義歯床部の波形状が、口腔の残存歯の歯頚部と、前記固定義歯床部の人工歯の歯頚部とで形成される波形状に一致する。
【００１８】
前記着脱部は、前記固定義歯床部に設けられる固定着脱部と、前記可動義歯床部に設けられる可動着脱部と、を備える。前記固定着脱部は、前記可動着脱部が嵌め込まれる第一の装着孔と、口腔内の左右方向にスライド可能であり、前記第一の装着孔に対して出没可能な装着キーと、を備える。前記可動着脱部は、前記固定着脱部の第一の装着孔に嵌め込められて、前記装着キーが突出した場合に、当該装着キーの突出部分が嵌め込まれる第二の装着孔を備える。
【発明の効果】
【００１９】
本発明に係る入れ歯によれば、装着に違和感無く、咀嚼感を十分に得ることが可能となる。
【図面の簡単な説明】
【００２０】
【図１】第一の実施形態における、残存歯を示す口腔の正面視斜視図（図１Ａ）と、入れ歯を装着した口腔の正面視斜視図（図１Ｂ）である。
【図２】第一の実施形態における、可動義歯床部を装着した場合の入れ歯の正面視斜視図（図２Ａ）と、可動義歯床部を外した場合の入れ歯の正面視斜視図（図２Ｂ）と、可動義歯床部を外した場合の入れ歯の左側面視斜視図（図２Ｃ）と、可動義歯床部を外した場合の入れ歯の右側面視斜視図（図２Ｄ）である。
【図３】着脱部を外した場合の入れ歯の平面視断面図（図３Ａ）と、着脱部を装着した場合の入れ歯の平面視断面図（図３Ｂ）である。
【図４】第二の実施形態における、残存歯を示す口腔の正面視斜視図（図４Ａ）と、入れ歯を装着した口腔の正面視斜視図（図４Ｂ）である。
【図５】第二の実施形態における、可動義歯床部を装着した場合の入れ歯の正面視斜視図（図５Ａ）と、可動義歯床部を外した場合の入れ歯の正面視斜視図（図５Ｂ）と、可動義歯床部を外した場合の入れ歯の左側面視斜視図（図５Ｃ）と、可動義歯床部を外した場合の入れ歯の右側面視斜視図（図５Ｄ）である。
【図６】他の実施形態における、ヒンジ部の平面視断面図（図６Ａ）と、着脱部の左側面視斜視図（図６Ｂ）と、着脱部の平面視斜視図（図６Ｃ）と、ヒンジ部近傍の着脱部の平面視斜視図（図６Ｄ）と、ヒンジ部近傍の着脱部の平面視斜視図（図６Ｅ）と、ヒンジ部近傍の着脱部の平面視斜視図（図６Ｆ）である。
【図７】他の実施形態における、着脱部の正面図及び底面図（図７Ａ）と、着脱部の装着キーの入没時及び突出時の正面図及び底面図（図７Ｂ）とである。
【図８】他の実施形態における、着脱部の固定着脱部を分解した分解正面図及び分解底面図（図８Ａ）と、他の実施形態における、着脱部の斜視図（図８Ｂ）とである。
【図９】他の実施形態における、ヒンジ部の正面図、底面図及び底面断面図（図９Ａ）と、ヒンジ部の斜視図（図９Ｂ）と、他の実施形態における補助部の斜視図（図９Ｃ）とである。
【図１０】ある患者の口腔の上顎の斜視図（図１０Ａ）と、患者の口腔の下顎の斜視図（図１０Ｂ）と、患者の口腔の正面視斜視図（図１０Ｃ）である。
【図１１】可動義歯床部を装着した場合の上顎及び下顎の入れ歯の平面図（図１１Ａ）と、可動義歯床部を外した場合の上顎及び下顎の入れ歯の平面図（図１１Ｂ）である。
【図１２】上顎の入れ歯のヒンジ部の左側面視斜視図（図１２Ａ）と、上顎の入れ歯の装着部の右側面視斜視図（図１２Ｂ）と、下顎の入れ歯の装着部の左側面視斜視図（図１２Ｃ）と、下顎の入れ歯のヒンジ部の右側面視斜視図（図１２Ｄ）である。
【図１３】上顎の入れ歯を装着した患者の口腔の上顎の斜視図（図１３Ａ）と、上顎及び下顎の入れ歯を装着した患者の口腔の左側面視斜視図（図１３Ｂ）と、上顎及び下顎の入れ歯を装着した患者の口腔の正面視斜視図（図１３Ｃ）と、上顎及び下顎の入れ歯を装着した患者の口腔の右側面視斜視図（図１３Ｄ）と、下顎の入れ歯を装着した患者の口腔の下顎の斜視図（図１３Ｅ）である。
【図１４】上顎と下顎の入れ歯の平面図（図１４Ａ）と、上顎と下顎の入れ歯の底面図（図１４Ｂ）と、上顎の入れ歯の平面図（図１４Ｃ）と、上顎の入れ歯の底面図（図１４Ｄ）とである。
【図１５】他の実施例における、ヒンジ部の斜視図（図１５Ａ）と、他の実施例における、着脱部の固定着脱部の斜視図（図１５Ｂ）と、患者の口腔の上顎の斜視図と（図１５Ｃ）、患者の口腔の下顎の斜視図（図１５Ｄ）とである。
【図１６】上顎と下顎の入れ歯の平面図（図１６Ａ）と、上顎と下顎の入れ歯の底面図（図１６Ｂ）とである。
【図１７】他の実施例における、ヒンジ部の斜視図（図１７Ａ）と、着脱部の固定着脱部の斜視図（図１７Ｂ）と、着脱部の可動着脱部（図１７Ｃ）とである。
【図１８】上顎の入れ歯を装着した患者の口腔の上顎の斜視図（図１８Ａ）と、下顎の入れ歯を装着した患者の口腔の下顎の斜視図（図１８Ｂ）と、上顎及び下顎の入れ歯を装着した患者の口腔の正面視斜視図（図１８Ｃ）とである。
【図１９】他の実施例における、ヒンジ部の支持部と補助部の斜視図（図１９Ａ）と、他の実施例における、入れ歯の着脱部の固定着脱部と可動着脱部の斜視図（図１９Ｂ）と、下顎の入れ歯の底面図（図１９Ｃ）とである。
【図２０】可動着脱部を閉じた状態のヒンジ部の斜視図（図２０Ａ）と、可動着脱部を開いた状態のヒンジ部の斜視図（図２０Ｂ）とである。
【図２１】他の実施例における、着脱部の固定着脱部と可動着脱部の斜視図（図２１Ａ）と、可動着脱部の側面図（図２１Ｂ）と、可動着脱部の背面図（図２１Ｃ）とである。
【図２２】他の実施例における、可動着脱部を固定着脱部に装着する際の斜視図（図２２Ａ）と、可動着脱部を固定着脱部に装着した際の斜視図（図２２Ｂ）と、固定着脱部の装着キーを可動着脱部の第二の装着孔へ装着した際の斜視図（図２２Ｃ）とである。
【発明を実施するための形態】
【００２１】
以下に、添付図面を参照して、本発明に係る入れ歯の実施形態について説明し、本発明の理解に供する。尚、以下の実施形態は、本発明を具体化した一例であって、本発明の技術的範囲を限定する性格のものではない。
【００２２】
＜第一の実施形態＞
第一の実施形態では、二つの残存歯を想定し、他の歯が全て欠損している場合の入れ歯を示す。残存歯は、二つの犬歯であり、欠損歯は、二つの中切歯、二つの側切歯、二つの第一小臼歯、二つの第二小臼歯、二つの第一大臼歯、二つの第二大臼歯である。
【００２３】
本発明は、残存歯が数本の患者の入れ歯１（義歯）であって、図１Ａ、図１Ｂ、図２Ａ、図２Ｂ、図２Ｃ、図２Ｄに示すように、前記残存歯２０の付根近傍２１の口腔内の背面（口腔内の内面）を覆うとともに、当該残存歯２０の無い馬蹄状の顎堤２２の表面（口腔内の内面及び外面）及びアンダーカットを覆い、当該顎堤２２の表面に仮歯肉１０ａを形成させる固定義歯床部１０と、前記仮歯肉１０ａの表面に設けられた、失った歯に対応する人工歯１１と、前記残存歯２０の付根近傍２１の口腔内の正面（口腔内の外面）を覆う可動義歯床部１２と、前記固定義歯床部１０に対して前記可動義歯床部１２を口腔内の正面側に回動可能とするヒンジ部１３と、前記固定義歯床部１０に対して前記可動義歯床部１２を口腔内の正面側で着脱可能とする着脱部１４とを備えることを特徴とする。ここで、顎堤とは、歯が無くなって歯肉だけになった部分を意味する。又、アンダーカットとは、歯や顎堤などの最大豊隆部よりも下方の陥没した部分を意味する。人工歯１１は、失った歯が存在した仮歯肉１０ａの表面に植えられる。これにより、装着に違和感無く、咀嚼感を十分に得ることが可能となる。
【００２４】
即ち、図１Ａ、図１Ｂに示すように、固定義歯床部１０を残存歯２０の付根近傍２１の口腔内の背面と顎堤２２の表面とアンダーカットとに被覆させて、前記ヒンジ部１３を介して、可動義歯床部１２を残存歯２０の付根近傍２１の口腔内の正面に回動して被せて、前記着脱部１４を介して、前記被せた可動義歯床部１２を前記固定義歯床部１０に装着すると、固定義歯床部１０と可動義歯床部１２とが残存歯２０の付根近傍２１の口腔内の周面（口腔内の正面及び背面）を取り囲んだ状態となり、当該固定義歯床部１０及び可動義歯床部１２が、馬蹄状の顎堤２２及び残存歯２０に固定される。
【００２５】
そのため、従来のように、残存歯２０のみで入れ歯を固定するのではなく、馬蹄状の顎堤２２及び残存歯２０全体を使って入れ歯１全体を固定し、残存歯２０の付根近傍２１を口腔内の周面から支持する。つまり、固定義歯床部１０が、馬蹄状の顎堤２２の表面を覆い、可動義歯床部１２が、残存歯２０の付根近傍２１の口腔内の正面を覆う（閉じる）ことにより、入れ歯１全体が、当該顎堤２２のアンダーカットも覆い、アンダーカットを含む額堤２２の隆起の凹凸に引っ掛けられて固定される。これにより、固定義歯床部１０と可動義歯床部１２が強固に額堤２２に固定され、入れ歯１の固定（装着）が、長期的に維持されるのである。
【００２６】
又、固定義歯床部１０に可動義歯床部１２を閉じる（装着する）ことで、残存歯２０の歯頚部を含む付根近傍２１の口腔内の周面（全面）を覆う（掴む）ことになる。ここで、歯頚部とは、歯の歯冠と歯根の境界を意味する。そのため、固定義歯床部１０は額堤２２に更に強固に固定されるとともに、固定義歯床部１０と可動義歯床部１２とが残存歯２０を口腔内の周面（全面）にわたって支持されるのである。
【００２７】
これにより、残存歯２０に負担が掛かりにくく、入れ歯１が、口腔内で今残っている残存歯２０の付根近傍２１及び顎堤２２と一体化し、違和感が生じること無く、入れ歯１を装着することが可能となる。又、残存歯２０に負担が掛かり難いことから、例えば、動揺する残存歯２０であっても、本発明の入れ歯１は、適用することが可能となるのである。尚、残存歯２０が動揺するとは、残存歯２０を支えている部分が失われて当該残存歯２０がグラつくことを意味する。
【００２８】
又、この入れ歯１を装着した患者が咀嚼すると、入れ歯１が馬蹄状の顎堤２２及び残存歯２０全体に固定されるため、殆どグラつくことが無い。更に、入れ歯１が残存歯２０を口腔内の周面から支持しているため、残存歯２０も殆どグラつくことが無い。従って、患者は、入れ歯１のグラつきを感じること無く、十分に咀嚼することが可能となり、歯を失う前の状態における咀嚼感を十分に得ることが可能となるのである。
【００２９】
尚、顎堤２２は、通常、歯が無くなることにより、歯が存在する健常な歯肉と比較して、肉厚が薄く痩せてしまう。そのため、固定義歯床部１０の仮歯肉１０ａは、肉厚が薄くなった馬蹄状の顎堤２２全体に肉厚を補う。
【００３０】
ここで、残存歯２０の本数は、本発明の目的を阻害しない限り、特に限定は無いが、例えば、１本から９本の範囲内であり、好ましくは、１本から５本の範囲内である。尚、図１、図２に示す入れ歯１では、残存歯２０を２本としている。
【００３１】
又、固定義歯床部１０の構成は、本発明の目的を損害しない限り、特に限定は無い。例えば、図２Ａ、図２Ｂ、図２Ｃ、図２Ｄに示すように、固定義歯床部１０の構成は、先ず、馬蹄状の顎堤２２に対応する馬蹄状の仮歯肉１０ａを形成し、当該形成した仮歯肉１０ａのうち、残存歯２０及び残存歯２０の付根近傍２１に対応する部分Ｈを開口し、当該開口した部分Ｈの口腔内の正面側を開口して、前記可動義歯床部１２が、当該開口した部分Ｈの口腔内の正面側に被さるように構成される。これにより、口腔への固定義歯床部１０の装着が容易になるとともに、前記固定義歯床部１０への可動義歯床部１２の装着も容易になる。
【００３２】
又、固定義歯床部１０における顎堤２２の表面を覆う部分は、本発明の目的を損害しない限り、特に限定は無いが、例えば、顎堤２２の表面が構成する隆起面を凸面として、当該凸面に嵌り込む凹面を有するよう構成される。これにより、固定義歯床部１０が顎堤２２に設置した場合に、固定義歯床部１０の凹面が顎堤２２の凸面に嵌り込んで、固定義歯床部１０を顎堤２２全体に固定することが可能となる。
【００３３】
又、固定義歯床部１０の仮歯肉１０ａは、本発明の目的を損害しない限り、特に限定は無いが、例えば、健常な歯肉の肉厚に対応する肉厚を有するよう構成される。これにより、入れ歯１を顎堤２２に装着した場合に、口腔に健常な歯肉が存在するように見せることが出来て、見た目を良くすることが可能となる。
【００３４】
又、人工歯１１の本数は、本発明の目的を阻害しない限り、特に限定は無く、例えば、健常者が有する歯の本数に対応して、残存歯２０の本数と人工歯１１の本数との合計を１４本となるように構成して、残存歯２０以外の欠損歯を人工歯１１にして全て備えるよう構成しても良い。又、人工歯１１の本数は、患者の装着感に応じて、例えば、図１Ｂ、図２Ａ、図２Ｂ、図２Ｃ、図２Ｄに示すように、一方（右側）の人工歯１１のうち、奥歯に対応する第二大臼歯を欠損してもよい。
【００３５】
又、可動義歯床部１２の構成は、本発明の目的を阻害しない限り、特に限定は無く、例えば、図１Ｂ、図２Ａ、図２Ｂ、図２Ｃ、図２Ｄに示すように、固定義歯床部１０に対応して残存歯２０の付根近傍２１を挟み込むよう構成される。これにより、顎堤２２のアンダーカットも十分に利用することができる。この際、可動義歯床部１２が挟み込む残存歯２０の付根近傍２１は、残存歯２０の歯肉から歯頚部までの部分であっても、残存歯２０の歯肉から歯冠の下方近傍までの部分であっても良い。固定義歯床部１０と可動義歯床部１２とが挟み込む残存歯２０の付根近傍２１は、患者の残存歯２０の状況、馬蹄状の額堤２２の状況、残存歯２０の動揺の程度等に応じて、適宜設計変更される。
【００３６】
又、可動義歯床部１２の数は、本発明の目的を阻害しない限り、特に限定は無く、例えば、残存歯２０の数に対応する数とし、一つの残存歯２０に対して一つの可動義歯床部１２を設けても良い。
【００３７】
一方、例えば、図１Ａに示すように、残存歯２０が２本以上存在する場合、図１Ｂに示すように、一つの可動義歯床部１２が、口腔の歯が並ぶ左右方向のうち、最左側の残存歯２０ａの付根近傍２１の口腔内の正面から、最右側の残存歯２０ｂの付根近傍２１の口腔内の正面までを覆うよう構成しても良い。ここで、この可動義歯床部１２の構成は、最左側の残存歯２０ａの付根近傍２１と、最右側の残存歯２０ｂの付根近傍２１との間に存在する固定義歯床部１０の仮歯肉１０ａの口腔内の正面を覆うことになる。これにより、一つの可動義歯床部１２により、複数の残存歯２０の付根近傍２１を一度に覆うことが可能となり、部品点数を少なくし、固定義歯床部１０との一体感を出すことが可能となる。又、患者の入れ歯１の装着の操作を容易にする。
【００３８】
又、固定義歯床部１０の構成は、可動義歯床部１２の装着態様に対応して、適宜設計変更される。例えば、可動義歯床部１２に対面する部分が固定義歯床部１０からくり貫かれて（削除されて）、図１Ｂ、図２Ａに示すように、可動義歯床部１２が固定義歯床部１０に装着された場合に、固定義歯床部１０のくり貫かれた部分に可動義歯床部１２が合わさって、全体として馬蹄状の健常な歯肉の形状に対応する仮歯肉となる。これにより、固定義歯床部１０と可動義歯床部１２との一体感が増し、入れ歯１全体としての見た目を向上させることが可能となる。
【００３９】
又、可動義歯床部１２の形態は、本発明の目的を阻害しない限り、特に限定は無く、例えば、図１Ｂ、図２Ａ、図２Ｂ、図２Ｃ、図２Ｄに示すように、固定義歯床部１０に対面する可動義歯床部１２は、歯と歯肉との境界（例えば、残存歯２０と歯肉との境界、人工歯１１と仮歯肉１０ａとの境界）、つまり、歯の歯頚部で形成される波形状に対応する波形状を有し、固定義歯床部１０に装着されると、この可動義歯床部１２の波形状が、口腔の残存歯２０の歯頚部と、固定義歯床部１０の人工歯１１の歯頚部とで形成される波形状に一致するよう構成される。これにより、患者が入れ歯１を装着したとしても、外形的に一見して入れ歯１の存在が分かり難くすることが可能となり、入れ歯１全体としての見た目を向上させることが可能となる。
【００４０】
又、ヒンジ部１３の構成は、本発明の目的を阻害しない限り、特に限定は無く、例えば、固定義歯床部１０の一方（右側）の位置１０ｂが、可動義歯床部１２の一端部１２ａ（右側端部）に対応してくり貫かれて、そのくり貫かれた部分に前記可動義歯床部１２の一端部１２ａが配置（装着）された場合に、ヒンジ部１３は、前記固定義歯床部１０の一方の位置１０ｂと前記可動義歯床部１２の一端部１２ａとを内部で挿通し、回動の中心軸となる回動ピンとすることが出来る。これにより、可動義歯床部１２の一端部１２ａが固定端となり、可動義歯床部１２の他端部１２ｂ（左側端部）が自由端となり、固定義歯床部１０に対して可動義歯床部１２を口腔内の正面側に回動可能とすることが出来る。
【００４１】
ここで、ヒンジ部１３（回動ピン）の形状は、本発明の目的を阻害しない限り、特に限定は無く、例えば、図１Ａ、図２Ａ、図２Ｂ、図２Ｄに示すように、直線状であっても良いし、一方の先端が折れ曲ったＬ字状でも、両方の先端が折れ曲ったコの字状でも構わない。先端が折れ曲がった構成のヒンジ部１３は、可動義歯床部１２の一端部１２ａを固定義歯床部１０の一方の位置１０ｂから外れ難くすることが可能となる。
【００４２】
又、固定義歯床部１０の一方の位置１０ｂは、本発明の目的を阻害しない限り、特に限定は無く、例えば、口腔の左右方向のうち、最右側の残存歯２０ｂの右方向に隣接する人工歯１１ｂの下方近傍であると好ましい。これにより、可動義歯床部１２を最右側の残存歯２０ｂの歯肉２１に十分に覆うことが可能となる。
【００４３】
又、着脱部１４の構成は、本発明の目的を阻害しない限り、特に限定は無く、例えば、凸部１４ａと当該凸部１４ａに嵌合可能な凹部１４ｂとで構成し、固定義歯床部１０の他方（左側）の位置１０ｃに凸部１４ａを設け、当該凸部１４ａに対向する可動義歯床部１２の他端部１２ｂ（左側端部）に凹部１４ｂを設け、凹部１４ｂを凸部１４ａに嵌め合わしたり離脱したりする。尚、固定義歯床部１０の他方の位置１０ｃに凹部１４ｂを設け、可動義歯床部１２の他端部１２ｂに凸部１４ａを設けても構わない。
【００４４】
ここで、着脱部１４は、例えば、図３Ａ、図３Ｂに示すように、固定義歯床部１０の他方の位置１０ｃが、可動義歯床部１２の他端部１２ｂに対応してくり貫かれて、そのくり貫かれた部分に、可動義歯床部１２の回動方向（又は口腔内の左右方向）の断面形状が円形の挿通ピンを挿通して凸部１４ａとし、当該凸部１４ａの断面形状に嵌合可能な形状を可動義歯床部１２の他端部１２ｂに形成して凹部１４ｂとすることが出来る。これにより、可動義歯床部１２の凹部１４ｂを固定義歯床部１０の凸部１４ａに合わせると、可動義歯床部１２が固定義歯床部１０に固定され、入れ歯１を装着することが出来る。又、可動義歯床部１２の凹部１４ｂを固定義歯床部１０の凸部１４ａから引き離すと、可動義歯床部１２が固定義歯床部１０から離脱して、入れ歯１を外すことが可能となる。
【００４５】
又、固定義歯床部１０の他方の位置１０ｃは、本発明の目的を阻害しない限り、特に限定は無く、例えば、口腔の左右方向のうち、最左側の残存歯２０ａの左方向に隣接する人工歯１１ａの下方近傍であると好ましい。これにより、可動義歯床部１２を最左側の残存歯２０ａの付根近傍２１に十分に覆うことが可能となる。尚、上述では、ヒンジ部１３の位置を、固定義歯床部１０の一方の位置１０ｂとし、着脱部１４の位置を、固定義歯床部１０の他方の位置１０ｃとしたが、この逆であっても構わない。
【００４６】
＜第二の実施形態＞
第二の実施形態では、三つの残存歯を想定し、他の歯が全て欠損している場合の入れ歯を示す。残存歯は、図面の右側の犬歯、右側の第一小臼歯、右側の第一大臼歯であり、欠損歯は、二つの中切歯、二つの側切歯、左側の犬歯、左側の第一小臼歯、二つの第二小臼歯、左側の第一大臼歯、二つの第二大臼歯である。
【００４７】
第二の実施形態が、第一の実施形態と異なる点は、図４Ａ、図４Ｂに示すように、馬蹄状の顎堤２２において、複数の残存歯２０が一方（右側）に集中して存在している点である。
【００４８】
この場合、例えば、図４Ｂ、図５Ａ、図５Ｂ、図５Ｃ、図５Ｄに示すように、固定義歯床部１０の他方の位置１０ｃを、口腔の左右方向のうち、最左側の残存歯２０ａの左方向に隣接する人工歯１１ａよりも遠方の人工歯１１ｃ、例えば、欠損歯の左側の第二小臼歯に対応する人工歯１１ｃの下方近傍とし、可動義歯床部１２の他端部１２ｂを、遠方の人工歯１１ｃまで延出して、当該遠方の人工歯１１ｃの仮歯肉１０ａの正面を覆うよう構成する。これにより、可動義歯床部１２は、馬蹄状の形状となり、固定義歯床部１０の仮歯肉１０ａの正面の大部分を覆うため、入れ歯１全体を顎堤２２全体に固定させることが可能となる。
【００４９】
又、図４Ａに示すように、残存歯２０に右側の第一大臼歯が含まれる場合に、口腔の左右方向のうち、最右側の残存歯２０ｂの右方向に隣接する人工歯、つまり、右側の第二大臼歯に対応する人工歯を設けると、固定義歯床部１０と可動義歯床部１２とを連結するヒンジ部１３を設けにくくなる。
【００５０】
そのため、第二の実施形態では、例えば、図４Ａ、図５Ａ、図５Ｂ、図５Ｃ、図５Ｄに示すように、最右側の残存歯２０ｂの右方向に隣接する人工歯を設けずに、この人工歯の位置に、固定義歯床部１０の仮歯肉１０ａを設け、この仮歯肉１０ａの位置に、固定義歯床部１０の一方の位置１０ｂと可動義歯床部１２の一端部１２ａとを合わせて、ヒンジ部１３を設ける。このように、人工歯は、必ずしも設ける必要は無く、患者の残存歯２０の数や種類に対応して、人工歯の形状に対応する仮歯肉１０ａをヒンジ部１３として構成しても構わない。
【００５１】
＜他の実施形態＞
第一の実施形態、第二の実施形態では、ヒンジ部１３の構成を、上述した回動ピンの構成としたが、他の構成を採用することが出来る。例えば、図６Ａに示すように、固定義歯床部１０の一方の位置１０ｂが、可動義歯床部１２の一端部１２ａに対応してくり貫かれて、そのくり貫かれた部分に、可動義歯床部１２の一端部１２ａを配置した上で、前記固定義歯床部１０の一方の位置１０ｂと前記可動義歯床部１２の一端部１２ａとの内部を、断面形状が円形の回動ピン１３で挿通してヒンジ部１３を構成する。そして、回動ピン１３が挿通する可動義歯床部１２の一端部１２ａの挿通孔１３ａを、円形とせず、正面側に沿って長い楕円形とする。これにより、可動義歯床部１２の一端部１２ａが動ける範囲が拡大されるため、可動義歯床部１２を固定義歯床部１０に装着し易くなる。
【００５２】
第一の実施形態、第二の実施形態では、着脱部１４の構成を、上述した凸部１４ａと凹部１４ｂとで構成したが、他の構成を採用することが出来る。例えば、図６Ｂに示すように、固定義歯床部１０の他方の位置１０ｃが、可動義歯床部１２の他端部１２ｂに対応してくり貫かれて、そのくり貫かれた部分の近傍に、Ｌ字状の支持棒１４ｃを回動可能に設け、当該支持棒１４ｃの先端に球体１４ｄを設ける。そして、固定義歯床部１０のくり貫かれた部分に、可動義歯床部１２の他端部１２ｂを嵌めて、支持棒１４ｃを可動義歯床部１２の他端部１２ｂに寄せると、当該支持棒１４ｃの球体１４ｄが可動義歯床部１２の他端部１２ｂに当接して固定される。これにより、支持棒１４ｃの操作だけで可動義歯床部１２を固定義歯床部１０に着脱することが可能となるため、例えば、固定義歯床部１０と可動義歯床部１２との寸法が経時的に変化し、凸部１４ａ、凹部１４ｂによる装着が困難になる問題を回避することが可能となる。
【００５３】
又、例えば、図６Ｃに示すように、固定義歯床部１０の他方の位置１０ｃに、平行なスリットを凹部１４ｂとして設け、可動義歯床部１２の他端部１２ｂに、スリットに着脱可能なバーを凸部１４ａとして設ける。尚、図６Ｃでは、スリット１４ｂを二本とし、バー１４ａを二本としている。そして、固定義歯床部１０のスリット１４ｂに可動義歯床部１２のバー１４ａを装着可能とする。これにより、固定義歯床部１０に可動義歯床部１２を強固に固定することが可能となる。
【００５４】
又、着脱部１４の位置は、固定義歯床部１０の他方の位置１０ｃと、可動義歯床部１２の他端部１２ｂとに対応したが、他の構成でも構わない。例えば、図６Ｄに示すように、ヒンジ部１３の近傍の位置で、可動義歯床部１２と対面する固定義歯床部１０の位置に、半円状の凹部１４ｂをくり貫き、当該凹部１４ｂに対面する可動義歯床部１２の位置に、半円状の凸部１４ａを膨出し、可動義歯床部１２を固定義歯床部１０に合わせると、凸部１４ａが凹部１４ｂに嵌め合わされる。これにより、例えば、着脱部１４を口腔の左右方向の左端又は右端に設けることが出来ない場合であっても、ヒンジ部１３の近傍の位置に設けることで、可動義歯床部１２を固定義歯床部１０に適切に固定することが可能となる。
【００５５】
更に、図６Ｅに示すように、ヒンジ部１３の近傍の位置で、可動義歯床部１２と対面する固定義歯床部１０の位置に、球状の凸部１４ａを膨出し、当該凸部１４ａに対面する可動義歯床部１２の位置に、球状の凹部１４ｂをくり貫く構成としても良い。又、逆に、図６Ｆに示すように、可動義歯床部１２と対面する固定義歯床部１０の位置に、球状の凹部１４ｂをくり貫き、当該凹部１４ｂに対面する可動義歯床部１２の位置に、球状の凸部１４ａを膨出する構成としても構わない。
【００５６】
又、着脱部１４の構成を、量産化可能で、所定の装着強度を有し、更に、ユーザーの着脱容易性を高めるために、下記の構成とすることも可能である。例えば、図７Ａ、図７Ｂに示すように、着脱部１４は、固定義歯床部１０に設けられる固定着脱部１４ａと、可動義歯床部１２に設けられる可動着脱部１４ｂとを備える。そして、前記固定着脱部１４ａは、前記可動着脱部１４ｂが嵌め込まれる第一の装着孔１４ｅと、口腔内の左右方向にスライド可能であり、前記第一の装着孔１４ｅに対して出没可能な装着キー１４ｆとを備える。一方、前記可動着脱部１４ｂは、前記固定着脱部１４ａの第一の装着孔１４ｅに嵌め込められて、前記装着キー１４ｆが突出した場合に、当該装着キー１４ｆの突出部分が嵌め込まれる第二の装着孔１４ｇを備える。これにより、前記可動義歯床部１２の可動着脱部１４ｂを前記固定義歯床部１２の固定着脱部１４ａの第一の装着孔１４ｅに嵌めて、前記装着キー１４ｆを前記第二の装着孔１４ｇに装着すれば、前記可動義歯床部１２を前記固定義歯床部１２に強固に固定することが可能となる。特に、前記装着キー１４ｆを口腔内の左右方向にスライドさせて第二の装着孔１４ｇへ装着することで、前記可動義歯床部１２の口腔内の正背方向の揺動や上下方向の揺動でも外れ難い構成とすることが出来る。
【００５７】
又、図７Ａ、図７Ｂに示すように、前記固定着脱部１４ａは、前記第一の装着孔１４ｅから、口腔内の正背方向に対して突出した係止部１４ｈを更に備え、前記可動着脱部１４ｂは、前記固定着脱部１４ａの第一の装着孔１４ｅに嵌め込められた場合に、当該第一の装着孔１４ｅの係止部１４ｈに装着される第三の装着孔１４ｉを更に備えると好ましい。これにより、前記可動着脱部１４ｂが前記固定着脱部１４ａの第一の装着孔１４ｅに嵌め込められると、前記係止部１４ｈが前記第三の装着孔１４ｉに装着されて、更に、前記可動着脱部１４ｂと前記固定着脱部１４ａとの装着を強固にするとともに、前記装着キー１４ｆを前記第二の装着孔１４ｇへ装着させるために、前記可動着脱部１４ｂの位置決めを適切にすることが可能となる。
【００５８】
又、図７Ａ、図７Ｂに示すように、前記固定着脱部１４ａの装着キー１４ｆには、ユーザーがスライド操作可能な操作部１４ｊを更に備えると好ましい。これにより、ユーザーが操作部１４ｊを介して、前記装着キー１４ｆを容易に口腔内の左右方向にスライドさせることが可能となり、前記固定装着部１４ａに対する可動着脱部１４ｂの装着（固定）を容易にする。又、前記可動着脱部１４ｂには、前記固定着脱部１４ａの第一の装着孔１４ｅに嵌め込められて、前記装着キー１４ｆが突出した場合に、当該装着キー１４ｆの操作部１４ｊを把持する把持部１４ｋを更に備えると好ましい。これにより、前記第二の装着孔１４ｇへの前記装着キー１４ｆの装着とともに、当該装着キー１４ｆの操作部１４ｊを前記把持部１４ｋが把持するため、前記可動着脱部１４ｂと前記固定着脱部１４ａとの装着を更に強固にすることが可能となる。尚、前記把持部１４ｋは、図７Ａ、図７Ｂに示すように、前記装着キー１４ｆの操作部１４ｊを把持可能なＣ字状の形状で構成しても良い。又、前記可動着脱部１４ｂは、可動義歯床部１２に埋め込まれる場合に当該可動義歯床部１２と強固に装着されるように円形の孔を有する留め部１４ｌを更に備えても良い。
【００５９】
尚、前記固定着脱部１４ｂは、図８Ａに示すように、前記第一の装着孔１４ｅと、前記係止部１４ｈと、前記装着キー１４ｆを口腔内の左右方向にスライド可能であり、前記第一の装着孔１４ｅと連通する第一のスライド孔１４ｍと、前記装着キー１４ｆの操作部１４ｊを口腔内の左右方向にスライド可能な第二のスライド孔１４ｎと、前記装着キー１４ｆが前記第一のスライド孔１４ｍへ装着された状態で、固定着脱部１４ｂの本体を把持し、前記第一のスライド孔１４ｍからの装着キー１４ｆの外れを防止する把持治具１４ｏと、当該把持治具１４ｏを把持可能な把持孔１４ｐとを備えている。前記把持治具１４ｏは、図８Ａに示すように、正面視でも底面視でもコ状に構成され、把持孔１４ｐは、前記把持治具１４ｏの把持形態に対応した開口に構成されている。
【００６０】
又、前記固定着脱部１４ｂの他の構成として、図８Ｂに示すように、前記把持部１４ｋは、前記装着キー１４ｆの操作部１４ｊの先端の一部が装着される第四の装着孔で構成しても良い。又、前記把持治具１４ｏは、四つの把持ピンを有する四角形状に構成され、これに対応する把持孔１４ｐは、前記把持治具１４ｏの四つの把持ピンが装着される四つの把持孔として構成されても良い。
【００６１】
又、ヒンジ部１３の構成を、量産化可能で、更に、前記可動義歯床部１２の円滑な回動を可能とするために、下記の構成とすることも可能である。例えば、図９Ａ、図９Ｂに示すように、ヒンジ部１３は、回動ピンと、回動ピンを支持する支持部１３ｂとを備え、支持部１３ｂは、上面部と下面部と平面部とで構成され、断面形状がコの字状の枠体１３ｃと、前記枠体１３ｃの上面部と下面部との両面部にそれぞれ設けられた、回動ピンを挿通可能な挿通孔１３ａと、当該挿通孔１３ａの近傍で、枠体１３ｃの上面部と下面部と平面部との端部にそれぞれ接続された側面部１３ｄと、前記枠体１３ｃの平面部と側面部１３ｄとの角部を、前記挿通孔１３ａの曲面に対応する曲面の形状とする曲面部１３ｅとを備える。これにより、可動義歯床部１２は、通常、樹脂成型するため、前記支持部１３ｂを、可動義歯床部１２の一端部１２ａを構成する金型として使用すれば、回動ピンを軸として回動可能な可動義歯床部１２の一端部１２ａを再現性高く成形することが可能となる。又、前記支持部１３ｂに曲面部１３ｅを設けることで、回動ピンに挿通した可動義歯床部１２の一端部１２ａを円滑に回動可能に成形することが可能となる。
【００６２】
又、ヒンジ部１３の支持部１３ｂが、固定義歯床部１０の一方の位置１０ｂに埋め込まれる場合に当該固定義歯床部１０と強固に装着されるように前記枠体１３ｃの平面部が側面部１３ｄから延出された留め部１３ｆを更に備えても良い。又、可動義歯床部１２の一端部１２ａを樹脂成型する際に、支持部１３ｂとともに可動義歯床部１２の一端部１２ａを成形するための補助部１３ｇを更に設けても良い。例えば、図９Ｃに示すように、補助部１３ｇは、前記支持部１３ｂの枠体１３ｃの平面部に対応する蓋部１３ｈと、前記支持部１３ｂの側面部１３ｄに外側から当接される当接部１３ｉと、前記支持部１３ｂの曲面部１３ｅに対面し、前記当接部１３ｉから前記支持部１３ｂの側面部１３ｄまでの間を空けて、前記挿通孔１３ａの曲面に対応する曲面の形状とし、前記支持部１３ｂの内部に装着可能な第二の曲面部１３ｊとを備える。これにより、可動義歯床部１２の一端部１２ａを樹脂成型する際に、支持部１３ｂを固定義歯床部１０の所定位置に配置し、回動ピンを挿通孔１３ａに挿通させて、補助部１３ｇで支持部１３ｂを蓋した状態とし、その状態で、可動義歯床部１２を構成する樹脂を流し込んで成形し、補助部１３ｇを取り除けば、回動ピンを軸として回動可能な可動義歯床部１２の一端部１２ａを容易に成形することが可能となる。
【００６３】
さて、各部材の材質であるが、固定義歯床部１０は、寸法安定性に優れるナイロン系樹脂、アクリル系樹脂等を採用することが出来、可動義歯床部１２は、寸法安定性に優れるナイロン系樹脂等を採用することが出来る。又、人工歯１１は、陶歯、樹脂歯、金属歯等を採用することが出来る。又、ヒンジ部１３を構成するピン、着脱部１４を構成する挿通ピンは、例えば、金−銀−パラジウム合金、コバルト−クロム合金、白金加金、チタン合金等の金属線を採用することが出来る。
【００６４】
又、固定義歯床部１０の構成のうち、残存歯２０の付根近傍２１の背面を覆う部分に、寸法安定性に優れ、当該残存歯２０の付根近傍の背面又は一部の周面に合わさる被膜材を更に設けても良い。これにより、残存歯２０の付根近傍２１の背面に合わさる被膜材を設けることで、固定義歯床部１０の寸法安定性が微妙に変動しても、被膜材が安定して残存歯２０の付根近傍２１を保護するため、患者の入れ歯１に対する違和感を軽減させることが可能となる。
【００６５】
又、固定義歯床部１０の構成のうち、残存歯２０の付根近傍２１の位置により、仮歯肉１０ａが分離する場合、例えば、残存歯２０が前歯に集中し、仮歯肉１０ａが馬蹄状の奥歯の顎堤２２の表面に対応して二つ設けられる場合に、各仮歯肉１０ａを連結する連結床を更に設けても良い。これにより、固定義歯床部１０を全体として安定させることが可能となる。
【００６６】
＜実施例＞
以下、実施例によって本発明を具体的に説明するが、本発明はこれにより限定されるものではない。
【００６７】
上顎の残存歯が３本で、下顎の残存歯が５本の患者に本発明に係る入れ歯１を作成した。この患者の上顎には、図１０Ａに示すように、右側の犬歯と、左側の動揺のある側切歯と、左側の犬歯とが残存し、下顎には、図１０Ｂに示すように、二つの動揺のある中切歯と、左側の動揺のある側切歯と、左側の犬歯と、左側の第一小臼歯と、左側の第一大臼歯とが残存している。又、この患者の前歯を見ると、図１０Ｃに示すように、残存歯の歯肉がかろうじて残存し、欠損歯の歯肉が痩せた顎堤となっていることが理解される。
【００６８】
そこで、図１１Ａ、図１１Ｂに示すように、上顎の残存歯２０と顎堤２２に対応する入れ歯１と、下顎の残存歯２０と顎堤２２に対応する入れ歯１を作成した。固定義歯床部１０は、残存歯２０の付根近傍の口腔内の背面を覆うとともに、顎堤２２の表面及びアンダーカットを覆い、当該顎堤２２の表面に仮歯肉を形成させるよう構成した。固定義歯床部１０は、顎堤２２に対応して仮歯肉１０ａを形成し、残存歯２０に対応した部分Ｈをくり貫き、欠損歯に対応する人工歯１１を仮歯肉１０ａに設けた。又、可動義歯床部１２は、全ての残存歯２０の付根近傍２１の口腔内の正面を覆うように、例えば、口腔の左右方向のうち、最左側の残存歯２０の付根近傍２１の正面から最右側の残存歯２０の付根近傍２１の正面までを覆うように構成している。これにより、顎堤２２のアンダーカットも覆うことが可能となる。
【００６９】
尚、図１１Ａ、図１１Ｂに示す入れ歯１では、固定義歯床部１０における残存歯２０の付根近傍２１の背面を覆う部分に、金属製の被覆材を設け、固定義歯床部１０の仮歯肉１０ａを連結する金属製の連結床を設けている。
【００７０】
又、図１２Ａ、図１２Ｄに示すように、上顎及び下顎の入れ歯１のヒンジ部１３は、両方の先端が折れ曲がり、奥歯側に沿ったコの字状の回動ピンとされ、固定義歯床部１０の一方の位置１０ｂと可動義歯床部１２の一端部１２ａとの内部を前記回動ピンで挿通している。
【００７１】
又、図１２Ｂ、図１２Ｃに示すように、上顎及び下顎の入れ歯１の着脱部１４は、顎堤２２側の一方の先端が折れ曲がり、奥歯側に沿ったＬの字状の挿通ピンを凸部１４ａとして固定義歯床部１０の他方の位置１０ｃに設け、当該凸部１４ａの断面形状に嵌合可能な形状を凹部１４ｂとして可動義歯床部１０の他端部１２ｂの背面側に設けている。
【００７２】
このような上顎及び下顎の入れ歯１を上述した患者に装着させたところ、図１３Ａ、図１３Ｂ、図１３Ｃ、図１３Ｄ、図１３Ｅに示すように、上顎の入れ歯１が患者の上顎に強固に装着され、下顎の入れ歯１が患者の下顎に強固に装着され、一見して、入れ歯１を嵌めているように見えないことが理解される。又、患者に装着感を聞いたところ、残存歯２０が動揺しているにもかかわらず、装着に違和感が無く、咀嚼してもグラつきがなく、十分な咀嚼感を得ることが出来るとのことであった。
【００７３】
他の実施例として、図１４Ａ、図１４Ｂに示すように、上顎の右側の側切歯と犬歯とが残存歯であり、下顎の右側の第一小臼歯と左側の側切歯とが残存歯である患者のために、これらの残存歯と顎堤に対応する入れ歯を作成した。この患者の場合は、上顎の口腔の顎堤が痩せていたため、上顎の入れ歯には、固定義歯床部の仮歯肉を連結する連結床を設けた。このような構成であっても、患者は、入れ歯の装着に違和感無く、咀嚼感を十分に得ることが出来るとのことであった。又、図１４Ｃに示すように、上顎の右側の犬歯と左側の中切歯と側切歯と犬歯とが残存歯である患者のために、これらの残存歯と顎堤に対応する入れ歯を作成した。この患者の場合は、固定義歯床部に金属製の被膜材と連結床とを内蔵させることで、入れ歯全体の寸法安定性を高めた。このような構成であっても、患者は、入れ歯の装着に違和感無く、咀嚼感を十分に得ることが出来るとのことであった。
【００７４】
他の実施例として、ヒンジ部を、図１５Ａに示すように、曲面部を除いた支持部（枠体、挿通孔、側面部、留め部）と回動ピンとで構成し、着脱部のうち、固定着脱部を、図１５Ｂに示すように、前記ヒンジ部の支持部に類似して、枠体と、挿通孔と、当該挿通孔に既に挿通された挿通ピンの凸部と、側面部とで構成した。可動着脱部は、前記固定着脱部に樹脂を流し込むことで形成される、前記挿通ピンの凸部に対応した凹部とした。このように、ヒンジ部の構成と着脱部（固定着脱部）の構成とを同等又は類似にすることで、量産化し易くすることが出来る。
【００７５】
さて、患者の上顎には、図１５Ｃに示すように、左側の第二大臼歯（金属歯）しか残存せず、患者の下顎には、図１５Ｄに示すように、右側の中切歯と側切歯と第二小臼歯（金属歯）と、左側の側切歯と犬歯とが残存している。この患者のために、図１６Ａ、図１６Ｂに示すように、上述の残存歯と顎堤に対応する入れ歯を作成した。この患者の場合も、固定義歯床部に金属製の被膜材と連結床とを内蔵させた。この入れ歯では、図１７Ａに示すように、前記ヒンジ部を上述した図１５の構成としても、可動義歯床部の一端部を固定義歯床部の一方の位置に対して口腔内の正面側に自由に回動することが出来た。又、図１７Ｂ、図１７Ｃに示すように、前記着脱部の固定義歯床部を上述した図１５の構成としても、可動義歯床部の他端部は適切に凹部として成形され、固定義歯床部の挿通ピンの凸部に着脱可能に成形することが出来た。そして、この入れ歯を上述した患者に装着させたところ、図１８Ａ、図１８Ｂ、図１８Ｃに示すように、患者の上顎及び下顎は、一見して、上顎及び下顎の入れ歯を嵌めているように見えないことが理解される。又、患者は、入れ歯の装着に違和感無く、咀嚼感を十分に得ることが出来るとのことであった。
【００７６】
他の実施例として、ヒンジ部を、図１９Ａに示すように、曲面部を備えた支持部と回動ピンとで構成し、更に、成形容易のための補助部を用意した。又、着脱部を、図１９Ｂに示すように、固定着脱部と、可動着脱部とで構成し、固定着脱部は、第一の装着孔と、装着キーとを備え、可動着脱部は、第二の装着孔を備える。更に、図７、図８で説明したように、固定着脱部は、係止部と、操作部とを備え、可動着脱部は、前記係止部に対応する第三の装着孔と、前記操作部に対応する把持部とを備えている。そして、図１９Ｃに示すように、上顎の右側の中切歯と、側切歯と、犬歯と、第一小臼歯とが残存歯である患者のために、これらの残存歯と顎堤に対応する入れ歯を作成した。この入れ歯では、図２０Ａ、図２０Ｂに示すように、前記ヒンジ部を上述した図１９の構成としても、可動義歯床部の一端部を固定義歯床部の一方の位置に対して円滑に回動させることが出来た。又、この入れ歯では、図２１Ａに示すように、前記固定着脱部の装着キーは、操作部を介して、第一の装着孔に対して自由に出没可能であり、図２１Ｂに示すように、前記可動着脱部には、前記装着キーが挿通される第二の装着孔が存在し、図２１Ｃに示すように、前記可動着脱部の背面側には、前記第三の装着孔が存在する。図２２Ａに示すように、装着キーを第一の装着孔から埋没させた状態で、可動着脱部を固定装着部に接近させ、図２２Ｂに示すように、可動着脱部を固定着脱部の第一の装着孔に装着させる。この状態では、固定着脱部の係止部が可動着脱部の第三の装着孔に嵌って位置決めされる。そして、図２２Ｃに示すように、装着キーを第一の装着孔から突出させると、可動着脱部の第二の装着孔に装着され、可動着脱部を固定着脱部に固定することが出来る。このように、前記ヒンジ部及び着脱部を上述した図１９の構成としても、問題なく入れ歯を構成することが出来た。又、患者は、入れ歯の装着に違和感無く、咀嚼感を十分に得ることが出来るとのことであった。
【００７７】
このように、本発明に係る入れ歯１は、固定義歯床部１０と、人工歯１１と、可動義歯床部１２と、ヒンジ部１３と、着脱部１４とを備えることを特徴とする。これにより、装着に違和感無く、咀嚼感を十分に得ることが可能となる。
【産業上の利用可能性】
【００７８】
以上のように、本発明に係る入れ歯は、残存歯の少ない患者に有効であり、装着に違和感無く、咀嚼感を十分に得ることが可能な入れ歯として有効である。
【符号の説明】
【００７９】
１  入れ歯
１０  固定義歯床部
１０ａ  仮歯肉
１１  人工歯
１２  可動義歯床部
１３  ヒンジ部
１４  着脱部
【図１】
2015109965.tif 000003
【図２】
2015109965.tif 000004
【図３】
2015109965.tif 000005
【図４】
2015109965.tif 000006
【図５】
2015109965.tif 000007
【図６】
2015109965.tif 000008
【図７】
2015109965.tif 000009
【図８】
2015109965.tif 000010
【図９】
2015109965.tif 000011
【図１０】
2015109965.tif 000012
【図１１】
2015109965.tif 000013
【図１２】
2015109965.tif 000014
【図１３】
2015109965.tif 000015
【図１４】
2015109965.tif 000016
【図１５】
2015109965.tif 000017
【図１６】
2015109965.tif 000018
【図１７】
2015109965.tif 000019
【図１８】
2015109965.tif 000020
【図１９】
2015109965.tif 000021
【図２０】
2015109965.tif 000022
【図２１】
2015109965.tif 000023
【図２２】
2015109965.tif 000024
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
残存歯が数本の患者の入れ歯であって、
前記残存歯の付根近傍の口腔内の背面を覆うとともに、前記残存歯の無い馬蹄状の顎堤の表面及びアンダーカットを覆い、当該顎堤の表面に仮歯肉を形成させる固定義歯床部と、
前記仮歯肉の表面に設けられた、失った歯に対応する人工歯と、
前記残存歯の付根近傍の口腔内の正面を覆う可動義歯床部と、
前記固定義歯床部に対して前記可動義歯床部を口腔内の正面側に回動可能とするヒンジ部と、
前記固定義歯床部に対して前記可動義歯床部を口腔内の正面側で着脱可能とする着脱部と
を備え、
前記固定義歯床部を前記残存歯の付根付近の口腔内の背面と額堤の表面とアンダーカットとに被覆させて、前記ヒンジ部を介して、前記可動義歯床部を前記残存歯の付根近傍の口腔内の正面に回動して被せて、前記着脱部を介して、前記被せた可動義歯床部を前記固定義歯床部に装着することで、前記固定義歯床部及び可動義歯床部が残存歯の付根近傍の口腔内の周面を取り囲んだ状態となり、当該固定義歯床部及び可動義歯床部が、馬蹄状の額堤及び残存歯に固定され、
前記着脱部は、前記固定義歯床部に設けられる固定着脱部と、前記可動義歯床部に設けられる可動着脱部と、を備え、
前記固定着脱部は、前記可動着脱部が嵌め込まれる第一の装着孔と、口腔内の左右方向にスライド可能であり、前記第一の装着孔に対して出没可能な装着キーと、を備え、
前記可動着脱部は、前記固定着脱部の第一の装着孔に嵌め込められて、前記装着キーが突出した場合に、当該装着キーの突出部分が嵌め込まれる第二の装着孔を備えることを特徴とする入れ歯。
【手続補正２】
【補正対象書類名】明細書
【補正対象項目名】００１４
【補正方法】変更
【補正の内容】
【００１４】
本発明者は、鋭意研究を重ねた結果、本発明に係る新規な入れ歯を完成させた。即ち、本発明は、残存歯が数本の患者の入れ歯であって、前記残存歯の付根近傍の背面を覆うとともに、前記残存歯の無い馬蹄状の顎堤の表面を覆い、当該顎堤の表面に仮歯肉を形成させる固定義歯床部と、前記仮歯肉の表面に設けられた、失った歯に対応する人工歯と、前記残存歯の付根近傍の正面を覆う可動義歯床部と、前記固定義歯床部に対して前記可動義歯床部を口腔の正面側に回動可能とするヒンジ部と、前記固定義歯床部に対して前記可動義歯床部を着脱可能とする着脱部とを備える。前記固定義歯床部を前記残存歯の付根付近の口腔内の背面と額堤の表面とアンダーカットとに被覆させて、前記ヒンジ部を介して、前記可動義歯床部を前記残存歯の付根近傍の口腔内の正面に回動して被せて、前記着脱部を介して、前記被せた可動義歯床部を前記固定義歯床部に装着することで、前記固定義歯床部及び可動義歯床部が残存歯の付根近傍の口腔内の周面を取り囲んだ状態となり、当該固定義歯床部及び可動義歯床部が、馬蹄状の額堤及び残存歯に固定され、前記着脱部は、前記固定義歯床部に設けられる固定着脱部と、前記可動義歯床部に設けられる可動着脱部と、を備え、前記固定着脱部は、前記可動着脱部が嵌め込まれる第一の装着孔と、口腔内の左右方向にスライド可能であり、前記第一の装着孔に対して出没可能な装着キーと、を備え、前記可動着脱部は、前記固定着脱部の第一の装着孔に嵌め込められて、前記装着キーが突出した場合に、当該装着キーの突出部分が嵌め込まれる第二の装着孔を備えることを特徴とする。
【手続補正３】
【補正対象書類名】明細書
【補正対象項目名】００１８
【補正方法】削除
【補正の内容】